(57)【要約】【課題】  光モジュールの如何に関わらず同一の操作で光モジュールを取り外すことができ、光モジュールのリリース機構が使用不能となっても光モジュールを取り外すことのできる光モジュール用ケージを提供する。【解決手段】  光通信装置に設けられ、その光通信装置に光モジュール２を接続すべく光モジュール２を挿抜自在に収容するケージ本体５を備えると共に、その光モジュール２の挿入時に光モジュール２を固定するロック機構４を備えた光モジュール用ケージ１において、ケージ本体５に、光モジュール２の離脱時にロック機構４を解除するロック解除機構１３を設けたものである。【選択図】      図１
2005057128.tif 000002
【特許請求の範囲】
【請求項１】
光通信装置に設けられ、その光通信装置に光モジュールを接続すべく光モジュールを挿抜自在に収容するケージ本体を備えると共に、その光モジュールの挿入時に光モジュールを固定するロック機構を備えた光モジュール用ケージにおいて、上記ケージ本体に、上記光モジュールの離脱時に上記ロック機構を解除するロック解除機構を設けたことを特徴とする光モジュール用ケージ。
【請求項２】
上記ロック機構は、上記ケージ本体に設けられた弾性片と、該弾性片に設けられた係合穴と、上記光モジュールに設けられ上記係合穴と係合する係合凸部とからなる請求項１記載の光モジュール用ケージ。
【請求項３】
上記ロック解除機構は、上記ケージ本体に設けられた解除レバーと、該解除レバーに設けられ上記弾性片を押圧して上記光モジュールの係合凸部を弾性片の係合穴から離脱する突起とを備えて構成される請求項２記載の光モジュール用ケージ。
【請求項４】
上記解除レバーは上記ケージ本体の両側に設けられ、その両側の解除レバー間には光モジュール抜き出し時に光モジュールを引き出すためのコ字状の取外し部材が連結され、上記ケージ本体には、その取外し部材を移動させるためスリットが形成される請求項３記載の光モジュール用ケージ。
【請求項５】
上記ケージ本体内には、収容される光モジュールをケージ本体から抜き出す方向に向けて付勢する付勢部材が設けられ、ケージ本体と光モジュールのロックが解除されたとき、光モジュールをケージ本体から抜き出すように付勢するように構成した請求項１〜４いずれかに記載の光モジュール用ケージ。
【発明の詳細な説明】
【技術分野】
【０００１】
本発明は、光通信装置に光モジュールを着脱自在に固定する光モジュール用ケージに関するものである。
【背景技術】
【０００２】
光モジュール、特にＳＦＰ型光トランシーバは、光ファイバを用いた光通信装置に用いられ、光通信装置からの電気信号を光信号に、外部からの光信号を電気信号に変換するデバイスの名称である。ＳＦＰ型光トランシーバは、光通信を行うための発光素子、受光素子及び素子駆動回路を１つの筐体に装備している。そして、ＳＦＰ型光トランシーバは、光通信装置と光ファイバとの間に介設されることで光通信を行えるように構成されている。
【０００３】
図５に示すように、ＳＦＰ型光トランシーバ３０は、光通信装置３１の基板３２上に予め設けられた電気コネクタ（図示せず）とケージ３３とに挿入されて取外し可能に固定される特徴を有する。具体的にはＳＦＰ型光トランシーバ３０は、ケージ３３の係合穴３４に係合される係合凸部３５と、係合凸部３５を係合穴３４内から抜き出すリリース機構（図示せず）とを有し、このリリース機構を操作することで光通信装置３１からＳＦＰ型光トランシーバ３０を取り外せるようになっている。そしてこれにより、ＳＦＰ型光トランシーバ３０に何らかの異常が発生した場合であっても、利用者はリリース機構を用いることでＳＦＰ型光トランシーバ３０の取り外し及び交換を行うことができ、信頼性の高い通信装置及び通信システムを構築することができる。
【０００４】
【特許文献１】米国特許第６４３９９１８Ｂ１号明細書
【発明の開示】
【発明が解決しようとする課題】
【０００５】
ところで、ＳＦＰ型光トランシーバ３０のリリース機構の構造は、ＳＦＰ型光トランシーバ製造会社数社によって決められた業界標準規格に定められているものの、操作方法など規格化されていない事項もあり、標準規格に準拠した形状で、各社がそれぞれ独自に開発した機構を採用している。このため、ＳＦＰ型光トランシーバ３０の着脱操作の方法は統一されておらず、同じ光通信装置３１でも、装着する光トランシーバ３０の製造会社が異なれば、着脱操作方法が大きく変わってしまうという課題があった。そして、光通信装置３１に装着されたいずれかの光トランシーバ３０に異常が発生し、光トランシーバ３０を取り外す必要がある場合であっても利用者はどのように取り外したらよいか分からず混乱する虞があるという問題があった。
【０００６】
また、光トランシーバ３０内の発光素子、受光素子、素子駆動回路に異常が発生した場合、光トランシーバ３０のリリース機構を用いて光トランシーバ３０を取り外し、正常品に交換することができるが、このリリース機構に異常が発生し、リリース機構による取り外しが不可能になった場合、最悪の場合、光通信装置３１を分解しない限り、光トランシーバ３０を光通信装置３１から取り外すことができなくなる可能性があった。
【０００７】
そこで、本発明の目的は、上記課題を解決し、光モジュールの如何に関わらず同一の操作で光モジュールを取り外すことができ、光モジュールのリリース機構が使用不能となっても光モジュールを取り外すことのできる光モジュール用ケージを提供することにある。
【課題を解決するための手段】
【０００８】
上記目的を達成するために本発明は、光通信装置に設けられ、その光通信装置に光モジュールを接続すべく光モジュールを挿抜自在に収容するケージ本体を備えると共に、その光モジュールの挿入時に光モジュールを固定するロック機構を備えた光モジュール用ケージにおいて、上記ケージ本体に、上記光モジュールの離脱時に上記ロック機構を解除するロック解除機構を設けたものである。
【０００９】
上記ロック機構は、上記ケージ本体に設けられた弾性片と、該弾性片に設けられた係合穴と、上記光モジュールに設けられ上記係合穴と係合する係合凸部とからなるとよい。
【００１０】
そして、上記ロック解除機構は、上記ケージ本体に設けられた解除レバーと、該解除レバーに設けられ上記弾性片を押圧して上記光モジュールの係合凸部を弾性片の係合穴から離脱する突起とを備えて構成されるとよい。
【００１１】
また、上記解除レバーは上記ケージ本体の両側に設けられ、その両側の解除レバー間には光モジュール抜き出し時に光モジュールを引き出すためのコ字状の取外し部材が連結され、上記ケージ本体には、その取外し部材を移動させるためスリットが形成されるとよい。
【００１２】
そして、上記ケージ本体内には、収容される光モジュールをケージ本体から抜き出す方向に向けて付勢する付勢部材が設けられ、ケージ本体と光モジュールのロックが解除されたとき、光モジュールをケージ本体から抜き出すように付勢するように構成されるとよい。
【発明の効果】
【００１３】
以上要するに本発明によれば、次のような優れた効果を奏する。
（１）光モジュールの如何に関わらず同一の操作で光モジュールを取り外すことができる。
（２）光モジュールのリリース機構が使用不能となっても光モジュールを取り外すことができる。
【発明を実施するための最良の形態】
【００１４】
本発明の好適実施の形態を添付図面に基づいて詳述する。
【００１５】
図１は、ケージを見下ろした斜視図であり、図２はケージにＳＦＰ型光トランシーバ（以下、光モジュールという）を装着した状態の側面図である。
【００１６】
図１及び図２に示すように、ケージ１は、断面矩形の筒状に形成されており、図示しない基板上に設けられている。ケージ１の一端側には光モジュール２を挿抜するための差込口３が形成されており、他端側には光モジュール２に接続される電気コネクタ（図示せず）が配置されている。また、ケージ１は、光モジュール２を挿入したときに光モジュール２を固定するためのロック機構４を有する。
【００１７】
ロック機構４は、ケージ本体５に設けられた弾性片６と、弾性片６に設けられた係合穴７と、光モジュール２に設けられ係合穴７と係合する係合凸部８とからなる。
【００１８】
弾性片６は、ケージ本体５の一面に差込口３から挿入方向に延びる切り込み９を一対平行に形成し、これら切り込み９の間に板バネ状の舌片を形成してなる。そして弾性片６は、差込口３側を板厚方向に弾性的に屈曲可能となっている。また、弾性片６の自由端側には差込口３から離間する方向に屈曲する反り１０が形成されている。反り１０は、ケージ１内に光モジュール２を挿入したときに係合凸部８から弾性片６を逃がすようにガイドするためのものであり、係合凸部８の突端を後述する係合穴７に案内する機能を有する。係合穴７は、三角形状に形成されており、弾性片６を板厚方向に貫通している。係合凸部８は、係合穴７内に挿抜可能な略三角柱状に形成されており、光モジュール本体１１に挿抜方向と交差する方向に延びて形成されている。また、係合凸部８の突端には、弾性片６の反り１０に当てるためのテーパ１２が形成されている。
【００１９】
そして、ケージ本体５には、光モジュール２の離脱時にロック機構４を解除するためのロック解除機構１３が設けられている。
【００２０】
ロック解除機構１３は、ケージ本体５に設けられた解除レバー１４と、解除レバー１４に設けられ弾性片６を押圧して光モジュール２の係合凸部８を弾性片６の係合穴７から離脱するカムたる突起１５とを備えて構成されている。解除レバー１４は、ケージ本体５の両側に設けられている。具体的には、解除レバー１４は、ケージ本体５に枢支されたレバー軸１６と、レバー軸１６に一体に設けられたレバー部１７とからなる。また、ケージ本体５の両側に設けられる解除レバー１４のレバー軸１６は、同軸上に一体に形成されており、両側の解除レバー１４は一体に回動するようになっている。レバー軸１６は、弾性片６の内側に沿って延びるように配置されている。突起１５は、レバー軸１６に径方向に延びて設けられている。具体的には、突起１５は、レバー部１７を弾性片６に対して垂直に起立させたとき差込口３側へ延びるよう形成されており、レバー部１７を差込口３側へ倒したときに弾性片６の基端部に当たって弾性片６を外方へ屈曲させるようになっている。
【００２１】
また、両側の解除レバー１４間には光モジュール２抜き出し時に光モジュール２を引き出すための取外し部材１８が連結されている。取外し部材１８は、金属又は導電性プラスチックにてコ字状に形成された棒状体からなり、両端を解除レバー１４に回動自在に連結されている。一方、ケージ本体５の挿入方向側の両側には、取外し部材１８を移動させるためのスリット１９が形成されており、取外し部材１８は、中間部２０を両側のスリット１９に挿通されている。スリット１９は挿抜方向に延びて形成されており、取外し部材１８の中間部２０を挿抜方向にガイドするようになっている。
【００２２】
そして、ケージ本体５内には、収容される光モジュール２をケージ本体５から抜き出す方向に向けて付勢する付勢部材２１が設けられており、ケージ本体５と光モジュール２のロックが解除されたとき、付勢部材２１が光モジュール２をケージ本体５から抜き出すように付勢するようになっている。具体的には付勢部材２１は、ケージ本体５の挿入方向側の両側から中央側へ延びつつ抜き方向側へ延びる板バネからなり、ケージ１内に光モジュール２が挿入された時に光モジュール２に当たって挿入方向側へ屈曲変形されるようになっている。また、付勢部材２１には、取外し部材１８への干渉を避けるための切り込み２２が形成されており、取外し部材１８がいずれの位置にあっても取外し部材１８に当接しないようになっている。
【００２３】
次に本実施の形態の作用を述べる。
【００２４】
図２に示すように、ケージ１に光モジュール２を装着した状態にあっては、ケージ１の係合穴７に光モジュール２の係合凸部８が挿入され、光モジュール２がケージ１にロックされている。このとき、ロック解除機構１３の突起１５は弾性片６に当接されており、差込口３側に向いている。すなわち、解除レバー１４は、弾性片６に対して垂直に起立されている。
【００２５】
この状態で光モジュール２に何らかの異常が発生するなどし、光モジュール２を交換する必要が生じた場合、図３に示すように解除レバー１４のレバー部１７を手前（差込口３側）へ倒す。このとき、光モジュール２のリリース機構が如何なるタイプのものであってもケージ１のロック解除機構１３は全て同じであるため利用者は迷うことなく操作することができる。
【００２６】
レバー部１７が倒れることにより、レバー軸１６と共に突起１５が回動し、弾性片６を外方へ押し込む。弾性片６に形成された係合穴７は係合凸部８から離れ、ケージ１と光モジュール２のロックを容易に解除することができる。また他方、レバー部１７の傾倒に連動して取外し部材１８の中間部２０がスリット１９内を抜き出し方向側へスライドする。そして、係合穴７が係合凸部８から離れたとき、取外し部材１８は光モジュール２に当接し、光モジュール２を抜き出し方向側へ引く。この間、付勢部材２１は取外し部材１８に干渉することなく常に光モジュール２を抜き出す方向へ弾発付勢しており、光モジュール２の移動を補助する。
【００２７】
そして、図４に示すようにレバー部１７が略完全に倒れると、光モジュール２は取外し部材１８によって所定の位置まで抜き出され、容易に指で摘んで引き出せる状態となる。
【００２８】
替わりの光モジュール２をケージ１に装着する場合、まずレバー部１７を起こす。突起１５は弾性片６の復元力を受けて押し戻され、レバー部１７が起立され、取外し部材１８がレバー部１７に押されて挿入方向側へスライド移動される。
【００２９】
そして、ケージ１内に光モジュール２を挿入する。光モジュール２は係合凸部８を弾性片６の反り１０に押し当て、反り１０を外方へ押し退けながら挿入方向側へ移動される。また他方、光モジュール２は付勢部材２１を押し込んで屈曲させる。光モジュール２が所定の位置に到達すると、係合凸部８と係合穴７の位置が重なり、弾性片６が元の姿勢に復元される。これにより、係合凸部８が係合穴７内に挿入され、ケージ１に光モジュール２をロックすることができる。
【００３０】
このように、ケージ本体５に、光モジュール２の離脱時にロック機構４を解除するロック解除機構１３を設けたため、光モジュール２のタイプに関わらず同一の操作で光モジュール２を取り外すことができ、光モジュール２のリリース機構が使用不能となっても光モジュール２を取り外すことができる。そして、光モジュール２の取り外しの作業性と信頼性を向上できる。
【００３１】
また、ロック機構４を、ケージ本体５に設けられた弾性片６と、弾性片６に設けられた係合穴７と、光モジュール２に設けられ係合穴７と係合する係合凸部８とからなるものとしたため、従来型のケージ３３と互換性を有するものにでき、従来型のケージ３３を上述のケージ１に置き換えても光モジュール２の固定ができなくなったり、取り外しができなくなるような問題の発生を防ぐことができる。
【００３２】
そして、ロック解除機構１３は、ケージ本体５に設けられた解除レバー１４と、解除レバー１４に設けられ弾性片６を押圧して光モジュール２の係合凸部８を弾性片６の係合穴７から離脱する突起１５とを備えて構成されるものとしたため、簡単な構造で容易にロック機構４を解除することができる。
【００３３】
また、解除レバー１４はケージ本体５の両側に設けられ、その両側の解除レバー１４間には光モジュール２抜き出し時に光モジュール２を引き出すためのコ字状の取外し部材１８が連結され、ケージ本体５には、その取外し部材１８を移動させるためスリット１９が形成されるものとしたため、簡単な構造で確実に光モジュール２をケージ１から取り外すことができる。
【００３４】
そして、ケージ本体５内には、収容される光モジュール２をケージ本体５から抜き出す方向に向けて付勢する付勢部材２１が設けられ、ケージ本体５と光モジュール２のロックが解除されたとき、光モジュール２をケージ本体５から抜き出すように付勢するように構成したため、ケージ１から光モジュール２を抜き出すときに光モジュール２の移動を補助することができ、比較的小さな力で容易に光モジュール２を抜き出すことができる。そしてこれにより、取外し部材１８にかかる負担を軽減でき、取外し部材１８を小さく簡単なものにできる。
【００３５】
なお、光モジュール２がＳＦＰ型光トランシーバの場合について述べたがこれに限るものではない。他のタイプの光トランシーバを収容するケージに上述のロック解除機構を設けてもよい。
【図面の簡単な説明】
【００３６】
【図１】本発明の好適実施の形態を示す光モジュール用ケージの斜視図である。
【図２】光モジュールを収容したケージの側面図である。
【図３】光モジュールをケージから抜き出している状態の側面図である。
【図４】光モジュールをケージから抜き出した状態の側面図である。
【図５】従来の光モジュールとケージの要部側断面図である。
【符号の説明】
【００３７】
１  光モジュール用ケージ
２  光モジュール
４  ロック機構
５  ケージ本体
６  弾性片
７  係合穴
８  係合凸部
１３  ロック解除機構
１４  解除レバー
１５  突起
１８  取外し部材
１９  スリット
２１  付勢部材
【図１】
2005057128.tif 000003
【図２】
2005057128.tif 000004
【図３】
2005057128.tif 000005
【図４】
2005057128.tif 000006
【図５】
2005057128.tif 000007